(57)【要約】【課題】ユーザのマナー意識に頼ることなく、ペースメーカなどの機器利用者の近くでは、確実にマナーモードを設定する。【解決手段】マナー信号送信機からマナー信号受信部３０４がマナー信号を受信すると、制御部３０９は自動マナーモードを設定する。これにより、受信部３０３が基地局から着信信号を受信した場合には、制御部３０９は着信が発生したことを表示部３０５を通じた表示により通知するものの、呼出部３０７による呼出報知や、送信部３０２からの無線信号出力を停止し、また入力部３０６を通じてユーザから発信要求があった場合でも、制御部３０９は送信部３０２からの無線信号出力は行わないようにしたものである。【選択図】      図３
2005277837.tif 000002
【特許請求の範囲】
【請求項１】
マナー信号を受信した場合にマナーモードを設定する移動無線端末装置に宛てて、前記マナー信号を送信する無線端末制御装置であって、
前記移動無線端末装置に宛てたマナー信号を生成する信号生成手段と、
この信号生成手段が生成したマナー信号を無線送信する無線送信手段とを具備することを特徴とする無線端末制御装置。
【請求項２】
さらに、識別情報を記憶する記憶手段を備え、
前記信号生成手段は、前記記憶手段が記憶する識別情報を含んだマナー信号を生成することを特徴とする請求項１に記載の無線端末制御装置。
【請求項３】
前記記憶手段は、暗号化された識別情報を記憶することを特徴とする請求項２に記載の無線端末制御装置。
【請求項４】
前記無線送信手段は、心臓ペースメーカが発生する電気信号に基づくタイミングで、前記マナー信号を無線送信することを特徴とする請求項１乃至請求項３のいずれかに記載の無線端末制御装置。
【請求項５】
さらに、当該無線端末制御装置を携帯するための保持手段を備えることを特徴とする請求項１乃至請求項４のいずれかに記載の無線端末制御装置。
【請求項６】
前記無線送信手段は、前記移動無線端末装置が通信に用いる無線信号よりも微弱な電界強度の無線信号により、前記マナー信号を無線送信することを特徴とする請求項１乃至請求項５のいずれかに記載の無線端末制御装置。
【請求項７】
無線通信を行う移動無線端末装置において、
マナー信号を受信する受信手段と、
この受信手段が前記マナー信号を受信した場合に、マナーモードを設定するモード設定手段と、
当該移動無線端末装置を呼び出す着信信号を受信した場合に、前記マナーモードが設定されない状態では前記着信信号の受信を報知し、一方、前記マナーモードが設定された状態では前記着信信号の受信を報知しない報知制御手段とを具備することを特徴とする移動無線端末装置。
【請求項８】
無線通信を行う移動無線端末装置において、
マナー信号を受信する受信手段と、
この受信手段が前記マナー信号を受信した場合に、マナーモードを設定するモード設定手段と、
ユーザからの指示を受け付ける受付手段と、
当該移動無線端末装置を呼び出す着信信号を受信し、かつ前記受付手段が呼び出しに応答する指示を受け付けた場合に、前記マナーモードが設定されない状態では前記呼び出しに応答し、一方、前記マナーモードが設定された状態では前記呼び出しに応答しない応答制御手段とを具備することを特徴とする移動無線端末装置。
【請求項９】
無線通信を行う移動無線端末装置において、
無線信号を送信する送信手段と、
マナー信号を受信する受信手段と、
この受信手段が前記マナー信号を受信した場合に、マナーモードを設定するモード設定手段と、
前記マナーモードが設定された状態では、前記送信手段による無線信号の送信を行わない送信制御手段とを具備することを特徴とする移動無線端末装置。
【請求項１０】
無線通信を行う移動無線端末装置において、
無線信号を送信する送信手段と、
マナー信号を受信する受信手段と、
この受信手段が前記マナー信号を受信した場合に、マナーモードを設定するモード設定手段と、
ユーザからの指示を受け付ける受付手段と、
この受付手段が無線信号を送信する指示を受け付けた場合に、前記マナーモードが設定されない状態では前記送信手段を制御して無線信号を送信し、一方、前記マナーモードが設定された状態では前記送信手段による無線信号の送信を行わない送信制御手段とを具備することを特徴とする移動無線端末装置。
【請求項１１】
さらに、識別情報を記憶する記憶手段を備え、
前記モード設定手段は、前記受信手段が受信した前記マナー信号に、前記記憶手段が記憶する識別情報が含まれる場合に、マナーモードを設定することを特徴とする請求項７乃至請求項１０のいずれかに記載の移動無線端末装置。
【請求項１２】
さらに、識別情報を記憶する記憶手段と、
前記受信手段が受信した前記マナー信号に含まれる暗号化された情報を解く、暗号解析手段とを備え、
前記モード設定手段は、前記暗号解析手段によって解かれた暗号から前記記憶手段が記憶する識別情報が得られた場合に、マナーモードを設定することを特徴とする請求項７乃至請求項１０のいずれかに記載の移動無線端末装置。
【請求項１３】
前記受信手段は、前記送信手段が送信する無線信号よりも微弱な電界強度で送信される前記マナー信号を受信することを特徴とする請求項７乃至請求項１２のいずれかに記載の移動無線端末装置。
【請求項１４】
無線通信を行う移動無線端末装置のプログラムであって、
マナー信号を受信する受信手段と、
この受信手段が前記マナー信号を受信した場合に、マナーモードを設定するモード設定手段と、
当該移動無線端末装置を呼び出す着信信号を受信した場合に、前記マナーモードが設定されない状態では前記着信信号の受信を報知し、一方、前記マナーモードが設定された状態では前記着信信号の受信を報知しない報知制御手段として前記移動無線端末装置を機能させるためのプログラム。
【請求項１５】
無線通信を行う移動無線端末装置のプログラムであって、
マナー信号を受信する受信手段と、
この受信手段が前記マナー信号を受信した場合に、マナーモードを設定するモード設定手段と、
ユーザからの指示を受け付ける受付手段と、
当該移動無線端末装置を呼び出す着信信号を受信し、かつ前記受付手段が呼び出しに応答する指示を受け付けた場合に、前記マナーモードが設定されない状態では前記呼び出しに応答し、一方、前記マナーモードが設定された状態では前記呼び出しに応答しない応答制御手段として前記移動無線端末装置を機能させるためのプログラム。
【請求項１６】
無線通信を行う移動無線端末装置のプログラムであって、
無線信号を送信する送信手段と、
マナー信号を受信する受信手段と、
この受信手段が前記マナー信号を受信した場合に、マナーモードを設定するモード設定手段と、
前記マナーモードが設定された状態では、前記送信手段による無線信号の送信を行わない送信制御手段として前記移動無線端末装置を機能させるためのプログラム。
【請求項１７】
無線通信を行う移動無線端末装置のプログラムであって、
無線信号を送信する送信手段と、
マナー信号を受信する受信手段と、
この受信手段が前記マナー信号を受信した場合に、マナーモードを設定するモード設定手段と、
ユーザからの指示を受け付ける受付手段と、
この受付手段が無線信号を送信する指示を受け付けた場合に、前記マナーモードが設定されない状態では前記送信手段を制御して無線信号を送信し、一方、前記マナーモードが設定された状態では前記送信手段による無線信号の送信を行わない送信制御手段として前記移動無線端末装置を機能させるためのプログラム。
【請求項１８】
さらに、識別情報を記憶する記憶手段として機能させ、
前記モード設定手段は、前記受信手段が受信した前記マナー信号に、前記記憶手段が記憶する識別情報が含まれる場合に、マナーモードを設定することを特徴とする請求項１４乃至請求項１７のいずれかに記載のプログラム。
【請求項１９】
さらに、識別情報を記憶する記憶手段として機能させ、
前記受信手段が受信した前記マナー信号に含まれる暗号化された情報を解く、暗号解析手段とを備え、
前記モード設定手段は、前記暗号解析手段によって解かれた暗号から前記記憶手段が記憶する識別情報が得られた場合に、マナーモードを設定することを特徴とする請求項１４乃至請求項１７のいずれかに記載のプログラム。
【請求項２０】
前記受信手段は、前記送信手段が送信する無線信号よりも微弱な電界強度で送信される前記マナー信号を受信することを特徴とする請求項１４乃至請求項１９のいずれかに記載のプログラム。
【発明の詳細な説明】
【技術分野】
【０００１】
この発明は、例えば携帯電話機やＰＨＳ（Personal Handyphone System）端末などの移動無線端末装置の発信制御に関する。
【背景技術】
【０００２】
周知のように、携帯電話機やＰＨＳ端末などの移動無線端末装置から送信される電波が、心臓疾患者が用いるペースメーカに誤動作を生じさせる虞があるという問題があった。これに対して従来は、ユーザのマナー意識に頼って、ユーザが自主的にマナーモードなどの設定を行うようにしていた。  
しかしながら、上述のようにユーザのマナー意識に頼っているため、マナーモードの設定を忘れてしまうことがあり、十分な対応ができないという問題があった。
【０００３】
これに対して従来、移動無線端末装置宛てに、電波発射を規制する制御信号を送信するものがあった（例えば、特許文献１参照）。しかしながら、この手法では、必ずしも心臓疾患者の近傍にて電波発射が規制されるわけではなく、十分な対応が行えないばかりか、必要以上に電波の発射を規制してしまうという問題がある。
【０００４】
また上記の手法では、電波発射を規制する制御信号として、移動無線端末装置で本来通信で用いる周波数帯の強力な無線信号が用いられるため、この制御信号自体がペースメーカに悪影響を及ぼす虞があるという問題もあった。
【特許文献１】特開平１１−００８８８５号公報
【発明の開示】
【発明が解決しようとする課題】
【０００５】
従来は、ユーザのマナー意識に頼っているため、マナーモードの設定を忘れてしまうことがあり、ペースメーカなどの機器利用者への配慮が十分なされないという問題があった。
【０００６】
この発明は上記の問題を解決すべくなされたもので、ユーザのマナー意識に頼ることなく、ペースメーカなどの機器利用者の近くでは、確実にマナーモードを設定することが可能な移動無線端末装置、移動無線端末装置および移動無線端末装置のプログラムを提供することを目的とする。
【課題を解決するための手段】
【０００７】
上記の目的を達成するために、この発明は、マナー信号を受信した場合にマナーモードを設定する移動無線端末装置に宛てて、マナー信号を送信する無線端末制御装置であって、移動無線端末装置に宛てたマナー信号を生成する信号生成手段と、この信号生成手段が生成したマナー信号を無線送信する無線送信手段とを具備して構成するようにした。
【０００８】
またこの発明は、無線通信を行う移動無線端末装置において、マナー信号を受信する受信手段と、この受信手段がマナー信号を受信した場合に、マナーモードを設定するモード設定手段と、当該移動無線端末装置を呼び出す着信信号を受信した場合に、マナーモードが設定されない状態では着信信号の受信を報知し、一方、マナーモードが設定された状態では着信信号の受信を報知しない報知制御手段とを具備することを特徴とする。
【発明の効果】
【０００９】
以上述べたように、この発明では、無線端末制御装置から送信されるマナー信号により移動無線端末装置にマナーモードを設定させ、マナーモードが設定された状態では着信信号の受信を報知しないようにしている。
【００１０】
したがって、この発明によれば、無線端末制御装置を携帯する心臓疾患者に近づくと、移動無線端末装置に自動的に自動マナーモードが設定されるので、ユーザのマナー意識に頼ることなく、心臓疾患者の近くでは確実にマナーモードを設定することが可能な移動無線端末装置、移動無線端末装置および移動無線端末装置のプログラムを提供できる。
【発明を実施するための最良の形態】
【００１１】
以下、図面を参照して、この発明の一実施形態について説明する。  
図１は、この発明の一実施形態に係わる無線端末制御装置（マナー信号送信機２００）と移動無線端末装置（携帯電話機３００）を示すものである。  
この図に示すように、心臓疾患者Ｐが装着するペースメーカ１００に接続されたマナー信号送信機２００は、マナー信号を送信し、これを受けた携帯電話機３００は、自律的に自動マナーモードを設定し、基地局ＢＳに向けた電波放射を停止する。
【００１２】
ここでは、移動無線端末装置として携帯電話機３００を例に挙げるが、ＰＨＳ（Personal Handyphone System）端末などであってもよい。またここでは、ペースメーカ１００を例に挙げるが、電波の影響を受ける人体装着装置であれば、ペースメーカ１００に限定するものではない。
【００１３】
まず、マナー信号送信機２００について説明する。図２は、マナー信号送信機２００の構成を示すものである。この図に示すようにマナー信号送信機２００は、心臓ｈの心筋に電気刺激を与えるペースメーカ１００に接続され、ペースメーカ１００の装着者である心臓疾患者Ｐが携帯するものである。
【００１４】
マナー信号送信機２００は、ペース検出器２０１と、制御部２０２と、メモリ２０３と、発振器２０４と、変調器２０５と、増幅器２０６と、アンテナ２０７とを備える。また図示しないが、動作用のバッテリや、電源投入用のスイッチ、および心臓疾患者Ｐが携帯するため保持手段などを備える。
【００１５】
ペース検出器２０１は、ペースメーカ１００に接続され、ペースメーカ１００が心筋に与える電気信号を検出し、この電気信号に同期したペース信号を制御部２０２に出力する。これに対して制御部２０２は、上記ペース信号の周期に基づくタイミングで、断続的に発振器２０４が局部発振信号を生成するように制御する。
【００１６】
また制御部２０２は、メモリ２０３から暗号化された秘匿キーを読み出し、これを変調器２０５に出力する。これに対して変調器２０５は、発振器２０４にて生成される局部発振信号を上記秘匿キーで変調した後、無線周波にアップコンバートしてマナー信号として増幅器２０６に出力する。増幅器２０６は、変調器２０５から入力されるマナー信号を増幅し、アンテナ２０７を通じて空間に放射する。
【００１７】
以上のような構成により、マナー信号送信機２００は、秘匿キーで変調されたマナー信号を、ペースメーカ１００が心臓ｈに与える電気信号に基づくタイミングで断続的に無線送信する。
【００１８】
なお、マナー信号送信機２００から送信されるマナー信号は、携帯電話機３００が基地局ＢＳとの通信に用いる無線信号よりも微弱な電波で通信が可能な、例えば微弱電波方式などの通信方式を用いたものであって、増幅器に２０６の利得は、ペースメーカ１００への影響を考慮して設定される。
【００１９】
マナー信号の周波数帯域および送信電力は、ペースメーカ１００に対する影響ができるだけ小さくなるように設定するのはもちろんのことであるが、上述したようにペースメーカ１００が心臓ｈに与える電気信号の周期を考慮してマナー信号を断続的に送信することで、マナー信号のペースメーカ１００への影響を極小としている。
【００２０】
なお、マナー信号の断続的な送信周期と、ペースメーカ１００が心臓ｈに与える電気信号の周期とを同期させるか、あるいは非同期とするかは、ペースメーカ１００の種類に準じて入力部２０８を通じて設定する。
【００２１】
次に、携帯電話機３００について説明する。図３は、携帯電話機３００の構成を示すものである。この図に示すように、携帯電話機３００は、アンテナ３０１と、送信部３０２と、受信部３０３と、マナー信号受信部３０４と、表示部３０５と、入力部３０６と、呼出部３０７と、メモリ３０８と、制御部３０９とを備える。また図示しないが、動作用のバッテリや、送話音声を入力するマイクロホンや、受話音声を拡声出力するスピーカを備える。
【００２２】
送信部３０２は、アンテナ３０１を通じて携帯電話システムの基地局ＢＳに向けて無線信号を送信するものである。また受信部３０３は、アンテナ３０１を通じて上記基地局ＢＳから無線信号を受信するものである。マナー信号受信部３０４は、アンテナ３０１を通じて、上述したマナー信号送信機２００が送信するマナー信号を受信するものである。
【００２３】
表示部３０５は、ＬＣＤ（Liquid Crystal Display）などを備えて、視覚的に情報を表示するものであって、画像やテキストなど種々の情報を表示する。入力部３０６は、複数のキースイッチからなり、これらのキースイッチを通じてユーザからの要求を受け付けるものである。呼出部３０７は、着信があった場合に呼び出し音やメロディを拡声出力したり、バイブレータによって振動を発生するものである。
【００２４】
制御部３０９は、当該携帯電話機３００の各部を統括して制御するものであって、上記基地局ＢＳを通じた無線通信制御、表示部３０５の表示制御、入力部３０６を通じた要求受付制御、呼出部３０７を通じた呼び出し制御、メモリ３０８へのユーザデータの記録と読み出しなどデータ制御を行う。
【００２５】
また制御部３０９は、入力部３０６を通じたユーザからの要求に応じて、着信が生じた場合でも、呼出部３０７を通じた呼び出し音による呼び出し動作を行わない、いわゆるマナーモードを設定する機能を備える。
【００２６】
さらに制御部３０９は、タイマ機能を備えるほかに、新たな制御機能として、マナー信号受信部３０４がマナー信号送信機２００からマナー信号を受信した場合に、自動マナーモードを設定する機能を備える。この自動マナーモードは、上記のマナーモードと異なり、着信が発生した場合に、呼出部３０７を通じた呼び出し動作を行わないだけでなく、送信部３０２の動作を停止して、無線信号の出力を完全に停止するものである。
【００２７】
メモリ３０８は、制御部３０９の制御プログラムや制御データ、携帯電話システムより固有に割り当てられた識別情報、秘匿キーのデータを記憶する他に、ユーザが作成したスケジュールデータや電話帳データなどのユーザデータを記憶する。
【００２８】
次に、図４および図５を参照して、上記構成の携帯電話機３００の動作について説明する。図４に示す処理は、マナー信号送信機２００からのマナー信号受信に関わるものであり、図５に示す処理は、着信待ち受けおよび発信要求待ち受けに関わるものである。これらの処理は、電源が投入されると、制御部３０９によって並行して実行される。なお、これらの処理の制御プログラムは、メモリ３０８に記憶される。
【００２９】
まず図４について説明する。  
電源が投入されると、制御部３０９はマナー信号受信部３０４を動作制御し、ステップ４ａにおいて制御部３０９は、マナー信号受信部３０４がマナー信号送信機２００からマナー信号を受信したか否かを判定する。ここで、マナー信号受信部３０４がマナー信号を受信した場合には、ステップ４ｂに移行し、一方、マナー信号を受信していない場合には、ステップ４ｆに移行する。
【００３０】
ステップ４ｂにおいて制御部３０９は、マナー信号受信部３０４が受信したマナー信号に含まれる秘匿キーを解析し、ステップ４ｃに移行する。ステップ４ｃにおいて制御部３０９は、メモリ３０８に記憶される秘匿キーと、ステップ４ｂで解析した秘匿キーとを照合し、これらが一致して正規のキーと見なされる場合には、ステップ４ｄに移行し、一方、一致しない場合には、ステップ４ｆに移行する。
【００３１】
ステップ４ｄにおいて制御部３０９は、自動マナーモードを設定し、ステップ４ｅに移行する。この設定の情報は、メモリ３０８上にフラグ「１」が設定される。そして、自動マナーモードが設定されると、送信部３０２からの無線信号出力は一切停止される。ステップ４ｅにおいて制御部３０９は、タイマＴをスタートさせ、ステップ４ａに移行する。
【００３２】
ステップ４ｆにおいて制御部３０９は、所定時間が経過してタイマＴがタイムアウトしているか否かを判定する。ここで、タイマＴがタイムアウトしている場合には、ステップ４ｇに移行し、タイマＴがタイムアウトしていない、もしくはタイマＴが起動されていない場合には、ステップ４ａに移行する。
【００３３】
ステップ４ｇにおいて制御部３０９は、自動マナーモードを解除し、ステップ４ｈに移行する。この設定解除の情報は、メモリ３０８上にフラグ「０」が設定される。ステップ４ｈにおいて制御部３０９は、タイマＴをリセットした状態でストップさせ、ステップ４ａに移行する。
【００３４】
次に図５について説明する。  
電源が投入されると、制御部３０９は、前述のステップ４ｄの処理によって、自動マナーモードが設定されているか否かを判定する。ここで、自動マナーモードが設定されている場合には、ステップ５ｆに移行し、一方、自動マナーモードが設定されていない場合には、ステップ５ｂに移行する。
【００３５】
ステップ５ｂにおいて制御部３０９は、入力部３０６を通じてユーザから発信要求が発生したか否かを判定する。ここで、入力部３０６を通じてユーザから発信要求が発生した場合には、ステップ５ｅに移行し、一方、ユーザから発信要求が発生していない場合には、ステップ５ｃに移行する。
【００３６】
ステップ５ｃにおいて制御部３０９は、受信部３０３による受信信号を監視し、着信が発生したか否かを判定する。ここで、着信が発生した場合には、ステップ５ｄに移行し、一方、着信が発生していない場合には、ステップ５ａに移行する。
【００３７】
ステップ５ｄにおいて制御部３０９は、通常の着信処理を実施する。この処理では、上記着信信号含まれる情報から発信者の電話番号を抽出し、これを表示部３０５を制御して表示するとともに、呼出部３０７を制御して着信発生を報知する。その後、入力部３０６を通じてユーザが着信に応答する操作を行うと、着信に応答するために送信部３０２を制御して応答信号を基地局ＢＳに送信し、以後、送信部３０２および受信部３０３を制御して基地局ＢＳとの間に通信リンクを確立する。やがて、入力部３０６より終話操作がなされると、ステップ５ａに移行する。
【００３８】
ステップ５ｅにおいて制御部３０９は、通常の発信処理を実施する。この処理では、送信部３０２を制御して、基地局ＢＳに対して発信要求を行い、以後、送信部３０２および受信部３０３を制御して基地局ＢＳとの間に通信リンクを確立する。やがて、入力部３０６より終話操作がなされると、ステップ５ａに移行する。
【００３９】
一方、ステップ５ｆにおいて制御部３０９は、入力部３０６を通じてユーザから発信要求が発生したか否かを判定する。ここで、入力部３０６を通じてユーザから発信要求が発生した場合には、ステップ５ｇに移行し、一方、ユーザから発信要求が発生していない場合には、ステップ５ｈに移行する。
【００４０】
ステップ５ｇにおいて制御部３０９は、表示部３０５を制御して「自動マナーモード設定中です。発信できません。」等の表示を行い、自動マナーモードが設定され、発信が行えないことをユーザに報知し、発信を行うことなくステップ５ａに移行する。なお、この時点で、自動マナーモードが設定されていることにより、送信部３０２は停止状態にあるため、無線信号の出力は行われない。
【００４１】
ステップ５ｈにおいて制御部３０９は、受信部３０３による受信信号を監視し、着信が発生したか否かを判定する。ここで、着信が発生した場合には、ステップ５ｉに移行し、一方、着信が発生していない場合には、ステップ５ａに移行する。
【００４２】
ステップ５ｉにおいて制御部３０９は、自動マナーモード設定時における着信処理を実施する。この処理では、上記着信信号含まれる情報から発信者の電話番号を抽出し、これを表示部３０５を制御して表示するが、送信部３０２による無線信号の送信は行わない。ここでユーザが着信の発生に気付き、入力部３０６を操作しても、制御部３０９は、着信に応答するための応答信号を基地局ＢＳに送信しない。またここで制御部３０９は、着信があった時刻と上記電話番号を対応づけて、着信履歴情報としてメモリ３０８に記録し、ステップ５ａに移行する。
【００４３】
以上のように、上記構成の携帯電話機３００では、マナー信号送信機２００からマナー信号を受信すると、自動マナーモードを設定し、着信が発生したことを表示部３０５を通じた表示により通知するものの、呼出部３０７による呼出報知や、送信部３０２からの無線信号出力を停止するようにしている。
【００４４】
したがって、上記構成の携帯電話機３００よれば、マナー信号送信機２００を携帯する心臓疾患者Ｐに近づくと、自動的に自動マナーモードが設定されるので、ユーザのマナー意識に頼ることなく、心臓疾患者Ｐの近くでは確実に無線信号の出力を停止することができる。このため電車内などに設けられる優先席などに限ることなく、心臓疾患者Ｐの近くでは発信や着信への応答が自動的に制限される。
【００４５】
また上記構成の携帯電話機３００では、タイマＴがタイムアウトするまでの間に、マナー信号が受信できない場合には、設定した自動マナーモードを解除するようにしているので、マナー信号送信機２００を携帯する心臓疾患者Ｐから離れると、自動マナーモードが自動的に解除され、再び通常の発着信が可能となる。
【００４６】
さらに上記構成の携帯電話機３００では、マナー信号に正規の秘匿キーの情報が含まれるか否かを判定し、正規の秘匿キーが含まれる場合にのみ、自動マナーモードを設定するようにしているので、いたずらなどにより自動マナーモードが設定されることがない。
【００４７】
そしてまた、マナー信号の送信に用いられる電波は、携帯電話機３００が基地局ＢＳとの通信に用いる無線信号よりも微弱な電波で通信が可能な方式を採用するため、マナー信号の送信の影響がペースメーカ１００に及ぶことがない。
【００４８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【図面の簡単な説明】
【００４９】
【図１】この発明に係わる無線端末制御装置（マナー信号送信機）と移動無線端末装置（携帯電話機）の利用環境を説明するための図。
【図２】図１に示した無線端末制御装置の構成を示す回路ブロック図。
【図３】図１に示した移動無線端末装置の構成を示す回路ブロック図。
【図４】図３に示した移動無線端末装置の動作を説明するためのフローチャート。
【図５】図３に示した移動無線端末装置の動作を説明するためのフローチャート。
【符号の説明】
【００５０】
１００…ペースメーカ、２００…マナー信号送信機、２０１…ペース検出器、２０２…制御部、２０３…メモリ、２０４…発振器、２０５…変調器、２０６…増幅器、２０７…アンテナ、２０８…入力部、３００…携帯電話機、３０１…アンテナ、３０２…送信部、３０３…受信部、３０４…マナー信号受信部、３０５…表示部、３０６…入力部、３０７…呼出部、３０８…メモリ、３０９…制御部、ＢＳ…基地局、ｈ…心臓、Ｐ…心臓疾患者。
【図１】
2005277837.tif 000003
【図２】
2005277837.tif 000004
【図３】
2005277837.tif 000005
【図４】
2005277837.tif 000006
【図５】
2005277837.tif 000007